(57)【要約】【課題】車両等の登録ナンバープレートの偽造を防止する。【解決手段】樹脂製ボルトの頭部に、偽造変造が難しく外部から非接触で内部データ−を読み書きすることができるＩＣチップを埋め込み、このボルトを車両等の登録ナンバープレート取りつけ用ボルトとして用い、そのＩＣチップ内部データ−と取付けられている登録ナンバープレートを監視照合することによって、登録ナンバープレートの偽造を容易に判定できるようにし、ナンバープレートの偽造を防止する。【選択図】　　　　図１
2004066943.tif 000002
【特許請求の範囲】
【請求項１】
車両等の登録ナンバープレート取り付け用ボルトであって、そのボルトの樹脂製頭部に、外部機器から非接触で内部データ−を読み出し書き込みすることができるＩＣチップを埋め込むことを特徴とするボルト。
【請求項２】
請求項１のＩＣチップ内部データ−への外部機器からの読み出し書き込みに際し、その都度外部機器が乱数を発生しＩＣチップと外部機器とはその乱数を独自に同一法則にのっとり加工し、その加工された乱数を暗証番号として用いて外部機器からのＩＣチップの内部データ−読み出し書き込みをを可能とすることを特徴とする請求項１のボルト。
【請求項３】
前請求項１のＩＣチップへの外部機器からの不正アクセスが複数回繰り返された場合に、ＩＣチップが永久的に使用不能になる機能を備えることを特徴とする請求項１のボルト。
【発明の詳細な説明】
【０００１】
【発明が属する技術分野】
本発明は、車両等の登録ナンバープレートの偽造防止技術に関するものである。
【０００２】
【従来の技術】
車両等の登録ナンバープレートは、金属薄板のプレス構造であり技術的には容易に製作できるものである。そのために登録ナンバープレート取り付けの際には、取り付けボルト頭部の少なくとも一本にはその取り付けボルトを外す時には壊さなくてはならないシールキャップが施されている。このことにより登録ナンバープレートの監督管理者以外の者が、勝手に取り変えたり、偽造品を取り付けたりしても容易に発見できるようにされている。
【０００３】
しかし、この取り付けボルトのシールキャップにしても、偽造の意思さえあれば技術的には容易に製作できるものであり、又、偽造されたものか否かは車両等を一台ごとに詳しく調査すれば判明するものの、莫大な数の車両等の中から偽造登録ナンバープレートを取り付けた車両等を短時間のうちに発見するのは大変困難なことである。
【０００４】
【発明が解決しようとする課題】
解決しようとする課題は、機械構造的な製品はそれがたとえ技術的に高度なものであっても模倣することが可能な点である。まして登録ナンバープレート取り付けボルトのシールような、技術的に容易で安価に造ることができるものはなおさらである。そこで、模倣することが事実上不可能な機能を持つ登録ナンバープレート取り付けボルト又はその頭部シールキャップは、外見は模倣することが容易であってもそれが容易に発見できる機能を持つことが必要となる。
【０００５】
【課題を解決するための手段】
課題を解決するためになされた請求項１の発明は、電磁波あるいは超音波による通信手段及び解読が事実上不可能な暗証手段とを用いて、樹脂製頭部に埋め込まれたＩＣチップのデータ−に外部機器から非接触でアクセスすることが可能な機能を持つ車両等の登録ナンバープレート取り付け用ボルトを提供し、登録ナンバープレートの監督管理者はその取り付けボルトに埋め込まれたＩＣチップのデータ−に予め車両等の登録ナンバーや製造番号その他の情報を書き込んだ上で、その取り付けボルトを用いて登録ナンバープレートを車両等に取り付ける。
【０００６】
この様にしておけばたとえ登録ナンバープレートや登録ナンバープレート取り付け用ボルトの外見が模倣されようとも、その取り付け用ボルトに埋め込まれたＩＣチップのデータ−や外部機器からアクセスするのに必要な請求項２に示す暗証技術が解読され模倣されない限り、登録ナンバープレートの記載と取りつけボルト頭部に埋め込まれたＩＣチップのデータ−を、登録ナンバープレートの監督管理者が外部機器により監視照合することによって、ナンバープレートの偽造を容易に何時でも短時間に外部機器により判定できるように出来る。
【０００７】
以上のことにより機械構造的な製品である登録ナンバープレートや登録ナンバープレート取り付け用ボルトの外見のみを模倣することが無意味となり、偽造ナンバープレートを取り付けた車両等を駆逐することに役立つ。
【０００８】
また、請求項２の発明は、請求項１に記載の登録ナンバープレート取り付けボルトに埋め込まれているＩＣチップのデータ−に外部機器から電磁波あるいは超音波によりアクセスしているときに、その信号が傍受されてもその内容が請求項１に記載の登録ナンバープレート取り付けボルトと同じものを偽造しようとする者にとって、事実上役に立たないものにする為の暗証技術であって以下でその内容を説明する。
【０００９】
一般的な暗証技術は予め暗証番号を定めておくが、請求項２の発明は暗証番号を定めておかず外部機器に乱数発生器を持たせ、請求項１の登録ナンバープレート取りつけボルト頭部に埋め込まれたＩＣチップにアクセスが必要なたびに、たとえば１０桁の乱数を作りＩＣチップに電磁波あるいは超音波信号として送る。
【００１０】
それを受け取ったＩＣチップは予め決められたルールに従い送られてきた乱数の内容、例えば乱数の５桁目が奇数であったら送られてきた乱数を２倍し、次に８桁目が５より大きい時２倍した乱数の補数を作るといったような加工を多数回施し、その結果の数値内容を外部機器に電磁波あるいは超音波信号として送り返す。
【００１１】
外部機器では同様な加工を自ら行いＩＣチップから送り返された数値と比較し、同一であれば正しい請求項１に記載のナンバープレート取り付けボルトであると認識したうえで、ＩＣチップの内部データ−へのアクセスを開始する。
【００１２】
ＩＣチップは外部機器からのアクセスを受けるにあたり請求項３に基づく乱数であることを確認した上で外部機器からの正しいアクセスと認識し、乱数加工の結果及び自身の持つ内部データーを外部機器へ送りアクセスは完了する。
【００１３】
以上の方法を取れば、外部機器からのＩＣチップへのアクセスのための暗証番号は１０の１０乗個存在することと同じでありしかも固定されていない。又、その加工方法を例えば１０個組み合わせれば事実上解読することは不可能となる。つまり、このの暗証技術は乱数の加工方法そのものが暗証番号の代りをしており、ＩＣチップと外部機器とが電磁波あるいは超音波信号でアクセスしているとき傍受できる信号の内容は、乱数の加工の結果にすぎずその結果から乱数の加工方法を解読することは事実上不可能である。
【００１４】
また、登録ナンバープレート取り付けボルトを偽造しようとする者が、請求項１に記載のナンバープレート取り付け用ボルトと外部機器との電磁波あるいは超音波でのアクセス信号を傍受し、外部機器が発生しＩＣチップに送った乱数に対するＩＣチップから加工されて返されてくるのと同じ信号を返すことが出来る請求項１に記載のナンバープレート取り付けボルトを偽造しようとしたとする。
【００１５】
この場合このＩＣチップには登録ナンバープレートの監督管理者に依る偽造登録ナンバープレート検査のための乱数アクセスが１０の１０乗個の中のどれかが外部機器により送られて来るわけであるから、このＩＣチップには１０の１０乗個の乱数各々に対応する１０の１０乗個の外部機器への返信用数値をデータ−として持たなければならない。このことは、請求項１に記載の登録ナンバープレート取り付けボルトに埋め込んである小型ＩＣチップでは不可能である。
【００１６】
たとえ技術の進歩によって上記ＩＣチップに大容量データーを記憶させることが出来るようになったとしても、登録ナンバープレートの監督管理者が乱数の発生桁数を一桁増す毎に上記ＩＣチップデーター容量は１０倍を必要とすることからも登録ナンバープレートを偽造しようとする者を排除する技術といえる。
【００１７】
請求項３の発明は、請求項１に記載の登録ナンバープレート取り付けボルトに埋め込んであるＩＣチップに、請求項２に記載の乱数アクセスを外部機器から行うにあたり乱数の一部に暗号部分を挿入する。例えば乱数の一桁目と七桁目の合計は奇数でなければならないなどとし、このことに依らない乱数アクセスが複数回繰り返された場合に、ＩＣチップが自らアクセス不能になる構造を備える。この様にすることで不正アクセスが行われた事実が以後の検査で判ることになる。
【００１８】
【発明の実施の形態】
以下、本発明を具体化した実施の形態について図１から図４までを参照して説明する。
図１は本実施形態の登録ナンバープレート取り付けボルト正面、側面、背面から見た図である。３の樹脂製ネジ部と一体成形された１の樹脂製のボルト頭部に２のＩＣチップが埋め込まれている。そしてそのボルトネジあるいは４のナットとボルトネジを用いて図２のように５の登録ナンバープレートを車両等に取り付けるのである。取り付ける物は当然登録ナンバープレートに限るものではなく取り付ける相手も車両等に限るものでもない。またボルトのネジ部のみを金属製にしてもよい。尚、本実施形態の登録ナンバープレート取り付けボルト頭部に埋め込まれるＩＣチップは、現在ＩＣカードやＩＣタグなどに広く使用されているＩＣチップを利用できる。
【００１９】
図２の８は、登録ナンバープレート取り付けボルトに埋め込まれたＩＣチップのデーターを読み書きする為の携帯型の外部機器の一例を示し、７はＩＣチップの読み出したデーター表示部である。この外部機器の前面６にはＩＣチップと電磁波あるいは超音波信号でアクセスするためのアンテナが埋め込まれており、この面を登録ナンバープレート取り付けボルトに向け通信するのである。
【００２０】
図３は、登録ナンバープレート取り付けボルトに埋め込まれたＩＣチップと、ＩＣチップのデーターを読み書きする為の携帯型外部機器の、内部電気回路の構成図の一例を示す。
【００２１】
図４は、請求項２の暗証のための乱数の加工の一例を示す。最初に外部機器が乱数▲１▼を発生する。その乱数▲１▼はＩＣチップに送られ乱数▲１▼の５桁目が奇数であったら乱数▲１▼を２倍するという法則のもとに乱数▲１▼を２倍して乱数▲２▼を作る。次に乱数▲２▼の８桁目が５よりも大きいとき乱数▲２▼の補数を作るという法則のもとに、乱数▲２▼の補数の乱数▲３▼を作る。この様に他の法則も加えた加工を数回繰り返して行い最後に乱数▲４▼を作る。そしてこの乱数▲４▼をＩＣチップは外部機器に送り、外部機器は送られてきた乱数▲４▼と自らがＩＣチップと同じ乱数加工を行った結果とを比較し暗証を成立させる。
【００２２】
【発明の効果】
以上説明したように本発明の登録ナンバープレート取り付けボルトは、偽造することが事実上不可能であるから、このボルトと登録ナンバープレートを一対の不可分なものとして車両等に取り付け管理することによって、登録ナンバープレートを偽造しようとする者を排除することが出来る。また、登録ナンバープレート取り付けボルトが、あるいはそれが車両等と共に盗難に遭ったとしても、登録ナンバープレート管理者が広範なインターネット通信網等を利用し、逐一外部機器に盗難情報として覚えこませておけば、盗難車両等を発見しやすくなるという効果もある。
【図面の簡単な説明】
【図１】登録ナンバープレート取り付けボルトの外観説明図である。
【図２】登録ナンバープレート取り付け実施方法を示した説明図である。
【図３】ＩＣチップ及び外部機器の内部電気回路構成図である。
【図４】ＩＣチップ及び外部機器が通信する時の暗証の為の乱数加工方法の説明図である。
【符号の説明】
１　　登録ナンバープレート取り付けボルトの頭部
２　　ＩＣチップ
３　　登録ナンバープレート取り付けボルトのネジ部
４　　ナット
５　　登録ナンバープレート
６　　携帯型外部機器前面アンテナ部
７　　携帯型外部機器表示部
８　　携帯型外部機器本体
▲１▼　　外部機器が発生した乱数
▲２▼　　第１回加工後の乱数
▲３▼　　第２回加工後の乱数
▲４▼　　最終加工後の乱数
【図１】
2004066943.tif 000003
【図２】
2004066943.tif 000004
【図３】
2004066943.tif 000005
【図４】
2004066943.tif 000006